(57)【要約】 【課題】  値引きなどの販売制限を開始する前により適切な表示形態で商品の販売を促進するための広告を表示することができる表示システムおよび表示制御装置を提供する。【解決手段】  表示データ判断部１１は、商品の在庫数が基準在庫数よりも大きいと、広告表示開始時間に在庫リスクを係数倍した時間を加算して、前倒し広告時間を求める。在庫リスクは、在庫数から基準在庫数を減算した超過在庫数に粗利をかけた優先度Ｐｉを、広告を開始するまでの時間、すなわち現在の時刻から、廃棄時刻から広告表示開始時間を引いた時刻までの時間で除算した値である。廃棄時刻から現在の時刻までの時間が前倒し広告時間よりも小さいと、その商品を優先広告商品として、その商品についての優先表示データを、表示データ送信部１２によって、その商品の通常表示データを表示している情報表示装置２０に送信して表示させる。【選択図】      図２
2010097440.tif 000002
【特許請求の範囲】
【請求項１】
商品の販売を促進するための販売促進広告を表す販売促進広告情報を表示するための表示部と、
商品の在庫数を表す在庫数情報、および前記販売促進広告情報を表示するか否かを決める基準となる予め定める基準在庫数を表す基準在庫数情報を記憶する記憶部と、
前記販売促進広告情報を前記表示部に表示すべきか否かを判定するための予め定める判定時刻に、前記記憶部に記憶される在庫数情報が示す在庫数と前記記憶部に記憶される基準在庫数情報が示す基準在庫数とを比較する比較部と、
前記比較部による比較結果に応じて、前記販売促進広告情報を前記表示部に表示させる表示形態を決定する決定部と、
前記決定部によって決定された表示形態によって前記販売促進広告情報を前記表示部に表示させる制御部とを含むことを特徴とする表示システム。
【請求項２】
前記決定部は、前記販売促進広告情報を表示する表示形態を、テロップ表示による表示形態に決定することを特徴とする請求項１に記載する表示システム。
【請求項３】
前記決定部は、前記販売促進広告情報を表示する表示形態を、前記広告情報を表示する基の領域よりも広い領域で表示する表示形態に決定することを特徴とする請求項１に記載する表示システム。
【請求項４】
前記決定部は、前記販売促進広告情報を表示する表示形態を、前記広告情報を表示する基の時間よりも長い時間表示する表示形態に決定することを特徴とする請求項１に記載する表示システム。
【請求項５】
前記表示部は、店舗内に分散して配置される複数の表示部からなり、
前記制御部は、前記決定部によって決定された表示形態によって前記販売促進広告情報を表示させるとき、店舗内で前記販売促進広告情報を表示すべき商品が配置されている位置から、前記記憶部に記憶される在庫数情報が示す在庫数から前記記憶部に記憶される基準在庫数情報が示す基準在庫数を減算した超過在庫数に基づいて定められる距離の範囲内に配置されている表示部に、前記販売促進広告情報を表示させることを特徴とする請求項１〜４のいずれか１つに記載する表示システム。
【請求項６】
商品の在庫数を表す在庫数情報、および前記販売促進広告情報を表示するか否かを決める基準となる予め定める基準在庫数を表す基準在庫数情報を記憶する記憶部と、
商品の販売を促進するための販売促進広告を表す販売促進広告情報を、情報を表示する表示装置に表示すべきか否かを判定するための予め定める判定時刻に、前記記憶部に記憶される在庫数情報が示す在庫数と前記記憶部に記憶される基準在庫数情報が示す基準在庫数とを比較する比較部と、
前記比較部による比較結果に応じて、前記販売促進広告情報を前記表示部に表示させる表示形態を決定する決定部と、
前記決定部によって決定された表示形態によって前記販売促進広告情報を前記表示装置に表示させる制御部とを含むことを特徴とする表示制御装置。
【発明の詳細な説明】
【技術分野】
【０００１】
本発明は、商品を販売するための広告情報を表示する表示システムおよび表示制御装置に関する。
【背景技術】
【０００２】
図８は、従来の技術による広告表示装置９の構成を示すブロック図である。広告表示装置９は、たとえば特許文献１に記載される装置であり、複数の商品を収容し、顧客の要求に応じて該当する商品を提供するとともに、複数の広告表示を有する自動販売機に用いられる。広告表示装置９は、時、分、秒情報を生成する時刻発生部９１と、その日が何月にあたるかを識別する月確認部９２と、商品の在庫数を確認する在庫確認部９３と、直近所定時間内のそれぞれの商品販売数を確認する販売商品検出部９４と、前記各ブロックからの信号を処理する制御部９５と、前記制御部９５の制御によって商品広告および案内などを表示する広告表示部９６とで構成される。
【０００３】
制御部９５は、複数の商品広告について、時間、時刻、季節、在庫数量および販売数量に応じて表示時間および表示内容を変えるように、広告表示部９６を制御する。たとえば「おいしいモ−ニングコーヒーをどうぞ」、「午後のひととき、コーヒー、紅茶をどうぞ」、「運動の後にはスポーツドリンクで水分の補給を」など、その季節あるいは時刻に相応した案内を商品表示部９６に表示する。
【０００４】
さらに、制御部９５は、在庫確認部９３からの情報に基づいて、在庫数量が少なくなった商品の広告を中止し、他の在庫数量の豊富な商品の広告を優先する。したがって、在庫切れも防ぐことができ、かつ在庫が多い商品を売ることができる。
【０００５】
【特許文献１】特開２０００−２７６０８９号公報
【発明の開示】
【発明が解決しようとする課題】
【０００６】
しかしながら、スーパーマーケットあるいは百貨店などの店舗、特にその店舗の食品売り場では、賞味期限あるいは消費期限が近付いた商品、主に惣菜および生鮮などの食品を販売するために、人的な判断に基づいて値下げなどの売価変更が行われ対応されている。期限切れの商品および翌日以降に販売することができない商品については、当日に廃棄処分をせざるを得ない状況になり、店舗の粗利低下への影響が大きい。
【０００７】
従来の技術による広告表示装置９は、自動販売機での広告に用いられるものであり、店舗などで販売される商品、特に値下げ販売が行われる食品については、そのまま用いることができないという問題がある。
【０００８】
本発明の目的は、値引きなどの販売制限を開始する前により適切な表示形態で商品の販売を促進するための広告を表示することができる表示システムおよび表示制御装置を提供することである。
【課題を解決するための手段】
【０００９】
本発明は、商品の販売を促進するための販売促進広告を表す販売促進広告情報を表示するための表示部と、
商品の在庫数を表す在庫数情報、および前記販売促進広告情報を表示するか否かを決める基準となる予め定める基準在庫数を表す基準在庫数情報を記憶する記憶部と、
前記販売促進広告情報を前記表示部に表示すべきか否かを判定するための予め定める判定時刻に、前記記憶部に記憶される在庫数情報が示す在庫数と前記記憶部に記憶される基準在庫数情報が示す基準在庫数とを比較する比較部と、
前記比較部による比較結果に応じて、前記販売促進広告情報を前記表示部に表示させる表示形態を決定する決定部と、
前記決定部によって決定された表示形態によって前記販売促進広告情報を前記表示部に表示させる制御部とを含むことを特徴とする表示システムである。
【００１０】
また本発明は、商品の在庫数を表す在庫数情報、および前記販売促進広告情報を表示するか否かを決める基準となる予め定める基準在庫数を表す基準在庫数情報を記憶する記憶部と、
商品の販売を促進するための販売促進広告を表す販売促進広告情報を、情報を表示する表示装置に表示すべきか否かを判定するための予め定める判定時刻に、前記記憶部に記憶される在庫数情報が示す在庫数と前記記憶部に記憶される基準在庫数情報が示す基準在庫数とを比較する比較部と、
前記比較部による比較結果に応じて、前記販売促進広告情報を前記表示部に表示させる表示形態を決定する決定部と、
前記決定部によって決定された表示形態によって前記販売促進広告情報を前記表示装置に表示させる制御部とを含むことを特徴とする表示制御装置である。
【発明の効果】
【００１１】
本発明によれば、表示部によって、商品の販売を促進するための販売促進広告を表す販売促進広告情報が表示され、記憶部によって、商品の在庫数を表す在庫数情報、および前記販売促進広告情報を表示するか否かを決める基準となるによって、予め定める基準在庫数を表す基準在庫数情報が記憶され、比較部によって、前記販売促進広告情報を前記表示部に表示すべきか否かを判定するための予め定める判定時刻に、前記記憶部に記憶される在庫数情報が示す在庫数と前記記憶部に記憶される基準在庫数情報が示す基準在庫数とが比較される。
【００１２】
そして、決定部によって、前記比較部による比較結果に応じて、前記販売促進広告情報を前記表示部に表示させる表示形態が決定され、制御部によって、前記決定部によって決定された表示形態によって前記販売促進広告情報が前記表示部に表示される。
【００１３】
したがって、在庫数、たとえばＰＯＳシステムから提供される在庫数に基づいて、商品、たとえば食品の値引きなどの販売制限を開始する前に、より適切な表示形態で、商品の販売を促進するための広告を表示することができる。すなわち、値引きあるいは廃棄処分前に、値引きあるいは廃棄処分の対象となり得る商品をより適切な表示形態で重点的に広告表示することによって、値引きあるいは廃棄処分の対象となり得る商品を、利益率の高い段階で販売することが可能となる。ＰＯＳシステムと連動することによって、売上推移を考慮して、商品の販売を促進するための広告を表示する表示形態を決定することができ、人的な判断による場合よりも、より細かくかつ適切な表示形態での広告が可能となり、販売利益を向上することができる。
【００１４】
また本発明によれば、記憶部によって、商品の在庫数を表す在庫数情報、および前記販売促進広告情報を表示するか否かを決める基準となる予め定める基準在庫数を表す基準在庫数情報が記憶され、比較部によって、商品の販売を促進するための販売促進広告を表す販売促進広告情報を、情報を表示する表示装置に表示すべきか否かを判定するための予め定める判定時刻に、前記記憶部に記憶される在庫数情報が示す在庫数と前記記憶部に記憶される基準在庫数情報が示す基準在庫数とが比較される。
【００１５】
そして、決定部によって、前記比較部による比較結果に応じて、前記販売促進広告情報を前記表示部に表示させる表示形態が決定され、制御部によって、前記決定部によって決定された表示形態によって前記販売促進広告情報が前記表示装置に表示される。
【００１６】
したがって、情報を表示することができる表示装置、たとえば液晶ディスプレイを用いて、食品の値引きなどの販売制限を開始する前により適切な表示形態で販売を促進するための広告を表示することができる。
【発明を実施するための最良の形態】
【００１７】
図１は、本発明の実施の一形態である表示システム１の構成を示すブロック図である。表示システム１は、店舗サーバ１０、情報表示装置２０、ＰＯＳ（Point Of Sales）端末３１、ハブ３２およびアクセスポイント３３を含んで構成される。
【００１８】
店舗サーバ１０は、たとえばキーボードおよびマウスなどの入力装置と、ディスプレイなどの表示装置あるいはプリンタなどの印刷装置を含む出力装置と、他の装置と通信する通信装置と、半導体メモリおよびハードディスク装置などの記憶装置と、中央処理装置（以下「ＣＰＵ」という）とを含むコンピュータシステムによって構成される。ＣＰＵは、記憶装置に記憶される制御プログラムを実行することによって、入力装置、出力装置および通信装置を制御する。
【００１９】
比較部である店舗サーバ１０は、ＰＯＳ端末３１から受信する販売数に基づいて、後述する商品マスタで各商品の在庫数を管理し、在庫数に基づいて販売を促進するための販売促進広告を情報表示装置２０に送信して表示させる。
【００２０】
情報表示装置２０は、たとえば液晶ディスプレイなどの表示装置であり、ハブ３２を介して有線通信で店舗サーバ１０に接続され、あるいはハブに接続されるアクセスポイント３３を介して無線通信で店舗サーバ１０に接続される。情報表示装置２０は、店舗サーバ１０から受信した広告などの情報を表示する。
【００２１】
ＰＯＳ端末３１は、商品の販売数、および商品の購入者から受領した金銭の金額を入力する装置であり、入力された販売数および金額を店舗サーバ１０に送信する。ハブ３２は、店舗サーバ１０、情報表示装置２０、ＰＯＳ端末３１およびアクセスポイント３３を接続する集線装置である。アクセスポイント３３は、店舗サーバ１０と情報表示装置２０との無線通信を中継する装置である。
【００２２】
図２は、表示システム１に含まれる店舗サーバ１０および情報表示装置２０の構成を模式的に示すブロック図である。店舗サーバ１０は、表示データ判断部１１、表示データ送信部１２、時刻発生部１３、売上データ１４、商品マスタ１５、判定用閾値データ１６、通常表示データ１７、情報表示装置位置データ１８および優先表示データ１９を含んで構成される。
【００２３】
表示データ判断部１１および表示データ送信部１２は、ＣＰＵが記憶装置に記憶される制御プログラムを実行することによって実現される機能である。売上データ１４、商品マスタ１５、判定用閾値データ１６、通常表示データ１７、情報表示装置位置データ１８および優先表示データ１９は、店舗の管理者などが、たとえば入力装置によって入力し、予め記憶装置に記憶したデータである。表示データ判断部１１および表示データ送信部１２は、売上データ１４、商品マスタ１５、判定用閾値データ１６、通常表示データ１７、情報表示装置位置データ１８および優先表示データ１９にアクセス可能である。
【００２４】
表示データ判断部１１は、商品の販売を促進するための販売促進広告を優先して表示する必要がある販売促進商品があるか否かを監視し、販売促進商品があると判断すると、その販売促進商品について、販売促進広告を優先して表示させるために、後述する優先表示データを情報表示装置２０に送信するように、表示データ送信部１２に指示する。表示データ送信部１２は、販売促進広告を表示させる情報表示装置２０を選択し、選択した情報表示装置２０に、表示データ判断部１１から指示された優先表示データを送信して表示させる。
【００２５】
時刻発生部１３は、時間を計時する計時装置であり、たとえばＲＴＣ（Real Time
Clock）によって構成される。表示データ判断部１１は、時刻発生部１３を参照することによって現在の時刻を知ることができる。売上データ１４は、ＰＯＳ端末３１から受信した情報に基づいて管理される売上げに関するデータである。
【００２６】
商品マスタ１５は、商品を管理するためのデータであり、少なくとも商品ＩＤ（
Identification）、商品名、在庫数、見切り時刻、廃棄時刻、粗利および配置場所などの情報を含む。商品マスタ１５は、商品ＩＤごとに、商品名、在庫数、見切り時刻、廃棄時刻、粗利および配置場所を記憶する。商品マスタ１５に記憶される情報の一例を表１に示す。
【００２７】
【表１】
2010097440.tif 000003
【００２８】
商品ＩＤは、各商品を識別するための商品識別情報であり、商品名は、商品の名称であり、在庫数は、現在の時刻においてまだ販売されていない商品の数である。見切り時刻は、販売価格の値下げを開始する時刻であり、廃棄時刻は、商品を廃棄処分にするために商品の販売を停止する時刻である。粗利は、１個の商品を販売したことによる利益を計算するための金額であり、たとえば売上高から売上原価を差し引いた粗利益であり、配置場所は、商品が陳列されている店舗内の位置をＸＹ座標で表す情報である。
【００２９】
表１に示した商品マスタ１５には、たとえば商品ＩＤ「１」の商品について、商品名「お惣菜Ａ」、在庫数「３０」、見切り時刻「１８：００」、廃棄時刻「２０：００」、粗利「３０円」および配置場所「ｘ１，ｙ１」と記憶されている。
【００３０】
判定用閾値データ１６は、販売促進商品があるか否かを判定するための基準となる閾値を含むデータであり、少なくとも商品ＩＤ、基準在庫数、広告表示開始時間および広告表示種類などの情報を含む。判定用閾値データ１６は、商品ＩＤごとに、基準在庫数、広告表示開始時間および広告表示種類を記憶する。判定用閾値データ１６に記憶される情報の一例を表２に示す。
【００３１】
【表２】
2010097440.tif 000004
【００３２】
基準在庫数は、在庫数についての閾値であり、販売促進商品の対象となる商品であるか否かを決める基準となる在庫数である。在庫数が基準在庫数を上回っている場合は、多くの商品を廃棄処分にしなければならない可能性が高いので、販売促進広告を表示して商品の販売を促進する必要がある。広告表示開始時間は、時間についての閾値であり、廃棄時刻よりもどれくらい前の時間から販売促進広告を表示する予定であるかを示す時間である。たとえば、ある惣菜が賞味期限つまり廃棄時刻の３時間前の見切り時刻から値下げを始めなければならない場合、広告表示開始時間は、４時間と設定され、見切り時刻の１時間前から販売促進広告の表示が開始される予定であることを示す。廃棄時刻から広告表示開始時間を減算した時刻は、広告表示開始時刻である。本実施の形態では、広告表示開始時間を記憶しているが、広告表示開始時間に加えて広告表示開始時刻を記憶してもよい。
【００３３】
広告表示種類は、販売促進広告を表示する表示形態を示す。表示形態には、少なくともテロップ表示、面積変更および表示時間延長の３つの表示形態を含み、３つの表示形態を組み合わせることも可能である。各表示形態については、図３で後述する。
【００３４】
表２に示した判定用閾値データ１６には、たとえば商品ＩＤ「１」の商品について、基準在庫数「２０」、広告表示開始時間「３時間０分」および広告表示種類「テロップ表示  ａｎｄ  面積変更」と記憶され、商品ＩＤ「２」の商品について、広告表示種類「表示時間変更」と記憶されている。商品マスタ１５および判定用閾値データ１６は、記憶部である。
【００３５】
図３は、表示形態の例を示す図である。図３（ａ）は、販売促進商品でない商品の広告を表示している状態での表示画面４１とタイムテーブル５１とを示す。表示画面４１は、情報表示装置２０の表示画面であり、画面に向かって左半分の画面である左画面４１Ｌには、商品名「お惣菜Ａ」についての広告が表示され、画面に向かって右半分の画面である右画面４１Ｒには、商品名「お惣菜Ｂ」についての広告が表示されている。
【００３６】
タイムテーブル５１は、左画面４１Ｌおよび右画面４１Ｒに順次表示される商品名を示すテーブルである。タイムテーブル５１は、左画面４１Ｌについて、商品名が「お惣菜Ａ」、「お惣菜Ｃ」、「衣料品Ｅ」および「衣料品Ｇ」の順序で、商品ごとに定められる後述する表示時間が経過するごとに順次、各商品名の商品の広告が表示されることを示している。さらに、右画面４１Ｒについて、商品名が「お惣菜Ｂ」、「お惣菜Ｄ」、「季節商品Ｆ」および「お惣菜Ｈ」の順序で、商品ごとに定められる後述する表示時間が経過するごとに順次、各商品名の商品の広告が表示されることを示している。
【００３７】
図３（ｂ）は、商品名「お惣菜Ａ」の商品について、販売促進商品の広告をテロップ表示で表示している状態での表示画面４２とタイムテーブル５２とを示す。表示画面４２は、情報表示装置２０の表示画面であり、左画面４２Ｌには、販売促進商品である商品名「お惣菜Ａ」の商品についての広告が表示され、右画面４２Ｒには、販売促進商品でない商品名「お惣菜Ｂ」の商品についての広告が表示され、さらに表示画面内の下側のテロップ表示領域４２Ｔに、販売促進商品である商品名「お惣菜Ａ」の商品についての広告がテロップ表示されている。テロップ表示領域４２Ｔは、左画面４２Ｌまたは右画面４２Ｒに表示される広告の商品のいずれかが販売促進商品であるとき表示される。この場合、左画面４２Ｌおよび右画面４２Ｒに表示される広告は、テロップ表示領域４２Ｔの部分が欠落するが、欠落しないように、左画面４２Ｌおよび右画面４２Ｒに表示される広告を縦方向に縮小して、左画面４２Ｌおよび右画面４２Ｒに表示してもよい。
【００３８】
商品名「季節商品Ｆ」は、販売促進商品であるので、商品名「季節商品Ｆ」の商品の広告が右画面４２Ｒに表示されるとき、商品名「季節商品Ｆ」の商品の広告がテロップ表示領域４２Ｔにテロップ表示される。このように、販売促進商品の広告をテロップで表示することによって、販売促進商品でない商品よりも強調して広告を行うことができる。タイムテーブル５２は、図３（ａ）に示したタイムテーブル５１と同じであり、重複を避けるために説明は省略する。
【００３９】
図３（ｃ）は、商品名「お惣菜Ａ」の商品について、販売促進商品の広告を面積変更で表示している状態での表示画面４３とタイムテーブル５３とを示す。表示画面４３は、情報表示装置２０の表示画面であり、左画面４３Ｌには、販売促進商品である商品名「お惣菜Ａ」の商品についての広告が、図３（ａ）に示した左画面４１Ｌよりも広い領域に拡大されて表示され、右画面４２Ｒには、販売促進商品でない商品名「お惣菜Ｂ」の商品についての広告が、図３（ａ）に示した右画面４１Ｒよりも狭い領域に縮小されて表示されている。
【００４０】
商品名「季節商品Ｆ」は、販売促進商品であるので、商品名「季節商品Ｆ」の商品の広告を表示するときは、商品名「季節商品Ｆ」の商品の広告が、図３（ａ）に示した右画面４１Ｒよりも広い領域の右画面４３Ｒに拡大して表示され、そのとき、販売促進商品でない商品名「衣料品Ｅ」の商品の広告は、図３（ａ）に示した左画面４１Ｌよりも狭い領域の左画面４３Ｌに縮小して表示される。このように、販売促進商品の広告を表示している領域を拡大することによって、販売促進商品でない商品よりも強調して広告を行うことができる。
【００４１】
左画面４３Ｌおよび右画面４１Ｒが同時に販売促進商品の広告を表示することになった場合は、左画面４３Ｌおよび右画面４１Ｒが同時に販売促進商品でない商品の広告を表示する場合と同様の状態で表示する。タイムテーブル５３は、図３（ａ）に示したタイムテーブル５１と同じであり、重複を避けるために説明は省略する。
【００４２】
図３（ｄ）は、商品名「お惣菜Ａ」の商品について、販売促進商品の広告の表示時間延長で表示している状態での表示画面４４とタイムテーブル５４とを示す。表示画面４４は、図３（ａ）に示した表示画面４１と同じであり、重複を避けるために説明は省略する。
【００４３】
タイムテーブル５４は、左画面４４Ｌについて、販売促進商品である商品名「お惣菜Ａ」の商品の広告を、その商品について定められる時間より長い時間、たとえばその商品について定められる時間の２倍の時間表示することを示している。さらに、販売促進商品である商品名「季節商品Ｆ」の商品の広告についても、その商品について定められる時間より長い時間、たとえばその商品について定められる時間の１．５倍の時間表示する。このように、販売促進商品の広告を表示している時間を延長することによって、販売促進商品でない商品よりも強調して広告を行うことができる。
【００４４】
通常表示データ１７は、商品を販売するための広告を表す広告情報を生成するための情報であり、少なくとも商品ＩＤ、表示幅、表示位置、表示コンテンツおよび表示時間などの情報を含む。通常表示データ１７は、商品ＩＤごとに、表示幅、表示位置、表示コンテンツおよび表示時間を記憶する。通常表示データ１７に記憶される情報の一例を表３に示す。
【００４５】
【表３】
2010097440.tif 000005
【００４６】
表示幅は、情報表示装置２０の表示画面の領域を左右に分割したとき、その商品の広告を表示する左画面もしくは右画面の領域が全画面の領域に占める割合を百分率で示す情報である。表示位置は、左画面および右画面のうちどちらの画面に表示するのかを示す情報であり、「左」は左画面に表示し、「右」は右画面に表示することを示す。表示コンテンツは、表示位置で示される領域の画面に表示する静止画像、動画像、もしくは音声情報またはこれらの組み合わせをファイル名で示す。音声情報を用いる場合は、情報表示装置２０に音声出力装置を設ける必要がある。表示時間は、表示コンテンツを表示する時間を示し、動画像の場合には、同じ動画像が繰り返し表示され、音声情報の場合には、同じ音声情報が繰り返し出力される。左画面および右画面でともに音声情報を出力する場合は、交互に出力する。
【００４７】
表３に示した通常表示データ１７には、たとえば商品ＩＤ「１」の商品について、表示幅「５０％」、表示位置「右」、表示コンテンツ「１．ｍｐｇ」および表示時間「１５秒」と記憶され、商品ＩＤ「２」の商品について、表示幅「５０％」、表示位置「左」、表示コンテンツ「２．ｍｐｇ」および表示時間「１５秒」と記憶され、商品ＩＤ「３」の商品について、表示幅「５０％」、表示位置「右」、表示コンテンツ「３．ｍｐｇ」および表示時間「２０秒」と記憶され、商品ＩＤ「４」の商品について、表示幅「５０％」、表示位置「左」、表示コンテンツ「４．ｊｐｇ／４．ｍｐ３」および表示時間「２０秒」と記憶されている。
【００４８】
通常表示データ１７のデータは、店舗の管理者などによって記憶装置に記憶された後、表示データ送信部１２によって、各商品の広告を表示する情報表示装置２０に送信される。
【００４９】
情報表示装置位置データ１８は、情報表示装置２０が配置されている位置を示す情報であり、少なくとも情報表示装置ＩＤおよび配置場所などの情報を含む。情報表示装置位置データ１８に記憶される情報の一例を表４に示す。情報表示装置ＩＤは、各情報表示装置２０を識別するための装置識別情報であり、配置場所は、店舗内で各情報表示装置２０が配置される位置をＸＹ座標で表している。
【００５０】
【表４】
2010097440.tif 000006
【００５１】
表４に示した情報表示装置位置データ１８には、情報表示装置ＩＤ「Ａ」の情報表示装置２０について、配置場所「ｘＡ，ｙＡ」が記憶され、情報表示装置ＩＤ「Ｂ」の情報表示装置２０について、配置場所「ｘＢ，ｙＢ」が記憶され、情報表示装置ＩＤ「Ｃ」の情報表示装置２０について、配置場所「ｘＣ，ｙＣ」が記憶されていることが示されている。
【００５２】
優先表示データ１９は、商品の販売を促進するための広告、つまり販売促進広告を表す販売促進広告情報を生成するための情報であり、少なくとも商品ＩＤ、広告表示種類およびパラメータなどの情報を含む。優先表示データ１９は、商品ＩＤごとに、広告表示種類およびパラメータを記憶する。優先表示データ１９に記憶される情報の一例を表５に示す。
【００５３】
【表５】
2010097440.tif 000007
【００５４】
広告表示種類は、販売促進広告情報を表示する表示形態を示す。パラメータは、表示形態を実現するための情報である。たとえば、表示形態が「テロップ表示」の場合は、テロップ表示する文字列を示し、表示形態が「面積変更」の場合は、右画面あるいは左画面を拡大する割合と方向とを示し、表示形態が「表示時間延長」の場合は、表示を延長する時間を示す。
【００５５】
表５に示した優先表示データ１９には、たとえば商品ＩＤ「１」の商品の広告について、広告表示種類が「テロップ表示」で、パラメータが「お惣菜Ａ  ｘｘｘ産現在・・」と記憶され、同じ商品ＩＤ「１」の商品の広告について、広告表示種類が「面積変更」で、パラメータが「横幅＋２０％」と記憶され、商品ＩＤ「２」の商品の広告について、広告表示種類が「表示時間延長」で、パラメータが「＋１０秒」と記憶されている。
【００５６】
情報表示装置２０は、表示データ制御部２１、情報表示部分２２、情報表示装置通常表示データ２３および情報表示装置優先表示データ２４を含んで構成される。表示データ制御部２１は、店舗サーバ１０の表示データ送信部１２から、通常表示データを受信した場合は、受信した通常表示データを情報表示装置通常表示データ２３に記憶し、さらに優先表示データを受信した場合は、受信した優先表示データと情報表示装置通常表示データ２３とに基づいて、受信した優先表示データに含まれる商品ＩＤについて情報表示装置優先表示データ２４を生成して記憶する。
【００５７】
決定部である表示データ制御部２１は、情報表示装置優先表示データ２４に記憶されている商品ＩＤの商品について、記憶する情報表示装置優先表示データ２４に基づいて販売促進広告情報を生成し、生成した販売促進広告情報を情報表示部分２２に表示する。情報表示装置優先表示データ２４に記憶されていない商品ＩＤの商品については、記憶する情報表示装置通常表示データ２３に基づいて広告情報を生成し、生成した広告情報を情報表示部分２２に表示する。表示データ判断部１１、表示データ送信部１２および表示データ制御部２１は、制御部である。表示部である情報表示部分２２は、液晶ディスプレイなどの表示画面であり、表示データ制御部２１から受け取る広告情報および販売促進広告情報を表示する。
【００５８】
情報表示装置通常表示データ２３は、各情報表示装置２０で順次表示する広告情報を生成するための情報であり、少なくとも再生順序、商品ＩＤ、表示幅、表示位置、表示コンテンツおよび表示時間などの情報を含む。情報表示装置通常表示データ２３は、再生順序ごとに、商品ＩＤ、表示幅、表示位置、表示コンテンツおよび表示時間を記憶する。情報表示装置通常表示データ２３に記憶される情報の一例を表６に示す。
【００５９】
【表６】
2010097440.tif 000008
【００６０】
再生順序は、各商品の広告を表示する順序を示す。商品ＩＤ、表示幅、表示位置、表示コンテンツおよび表示時間は、店舗サーバ１０に記憶される通常表示データ１７の商品ＩＤ、表示幅、表示位置、表示コンテンツおよび表示時間と同じであり、重複を避けるため説明は省略する。
【００６１】
表６に示した情報表示装置通常表示データ２３には、たとえば再生順序「１」について、商品ＩＤ「９」、表示幅「６０％」、表示位置「右」、表示コンテンツ「９．ｍｐｇ」、および表示時間「１０秒」が示され、再生順序「２」について、商品ＩＤ「１０」、表示幅「４０％」、表示位置「左」、表示コンテンツ「１０．ｊｐｇ／１０．ｍｐ３」、および表示時間「１０秒」が示され、再生順序「３」について、商品ＩＤ「１」、表示幅「５０％」、表示位置「右」、表示コンテンツ「１．ｍｐｇ」、および表示時間「１５秒」が示され、再生順序「４」について、商品ＩＤ「２」、表示幅「５０％」、表示位置「左」、表示コンテンツ「２．ｍｐｇ」、および表示時間「１５秒」が示され、再生順序「２０」について、商品ＩＤ「２００」、表示幅「５０％」、表示位置「左」、表示コンテンツ「２００．ｍｐｇ」、および表示時間「３０秒」が示されている。
【００６２】
表示データ制御部２１は、情報表示装置通常表示データ２３の再生順序に従って、図３（ａ）に示したように、左画面４１Ｌおよび右画面４１Ｒに順次広告情報を表示する。
【００６３】
情報表示装置優先表示データ２４は、優先表示データ部２４１と通常表示データ部２４２とを含む。優先表示データ部２４１は、表示データ制御部２１が表示データ送信部１２から受信した優先表示データを記憶し、通常表示データ部２４２は、優先表示データ部２４１の商品ＩＤと同じ商品ＩＤの商品についての通常表示データを記憶する。優先表示データ部２４１の一例を表７に示し、通常表示データ部２４２の一例を表８に示す。
【００６４】
【表７】
2010097440.tif 000009
【００６５】
【表８】
2010097440.tif 000010
【００６６】
表７に示した優先表示データ部２４１には、商品ＩＤ「２」の商品についての優先表示データが記憶され、表８に示した通常表示データ部２４２には、商品ＩＤ「２」の商品についての通常表示データが記憶されている。
【００６７】
表示データ制御部２１は、情報表示装置通常表示データ２３の再生順序に従って順次表示している広告情報の商品について、情報表示装置優先表示データ２４が記憶されていると、情報表示装置優先表示データ２４に記憶されている優先表示データに基づいて、その広告情報を販売促進広告情報にして表示する。
【００６８】
図４は、表示データ判断部１１および表示データ送信部１２が実行する第１の表示制御処理を示すフローチャートである。第１の表示制御処理は、店舗サーバ１０が優先表示データおよび優先表示データの削除指示を情報表示装置２０に送信する処理である。時刻発生部１３によって計時される時間が所定の時間、たとえば１０分経過するたびに、ステップＡ１に移る。ステップＡ１〜Ａ１１，Ａ１３，Ａ２２，Ａ２３は、表示データ判断部１１によって実行され、ステップＡ１２，Ａ１４〜Ａ２１，Ａ２４，Ａ２５は、表示データ送信部１２によって実行される。
【００６９】
ステップＡ１では、変数ｉに「１」を代入する。変数ｉは、商品を識別するための値であり、たとえば商品ＩＤを示す。ステップＡ２では、商品ｉの広告表示開始時間を取得する。具体的には、判定用閾値データ１６から商品ＩＤ「ｉ」の広告表示開始時間を読み出す。ステップＡ３では、現在の時間を取得する。具体的には、時刻発生部１３を参照して現在の時刻を取得し、商品マスタ１５の商品ＩＤ「ｉ」の廃棄時刻から、取得した現在の時刻を減算した時間を、現時間、つまり廃棄時刻までの現在の時間とする。
【００７０】
ステップＡ４では、現時間が広告表示開始時間よりも小さいか否かを判定する。具体的には、ステップＡ３で求めた現時間がステップＡ２で取得した広告表示開始時間よりも小さいと、ステップＡ５に進み、ステップＡ３で求めた現時間がステップＡ２で取得した広告表示開始時間よりも小さくないと、ステップＡ２５に進む。廃棄時刻から広告表示開始時間を減算した時刻は、予め定める判定時刻である。
【００７１】
ステップＡ５では、商品ｉの在庫数を取得する。具体的には、商品マスタ１５から商品ＩＤ「ｉ」の在庫数を読み出す。ステップＡ６では、商品ｉの基準在庫数を取得する。具体的には、判定用閾値データ１６から商品ＩＤ「ｉ」の基準在庫数を読み出す。ステップＡ７では、在庫数が基準在庫数よりも大きいか否かを判定する。ステップＡ５で取得した在庫数がステップＡ６で取得した基準在庫数よりも大きいと、ステップＡ８に進み、ステップＡ５で取得した在庫数がステップＡ６で取得した基準在庫数よりも大きくないと、ステップＡ２５に進む。
【００７２】
すなわち、ステップＡ２〜Ａ７では、広告表示開始時間および基準在庫数の２つの閾値を基準にして、廃棄時刻までの現時間および現在の在庫数に基づいて、商品ＩＤ「ｉ」の商品が販売促進商品であるか否かを判定している。
【００７３】
ステップＡ８では、商品ｉの単価を取得する。具体的には、商品マスタ１５から商品ＩＤ「ｉ」の粗利を読み出す。ステップＡ９では、在庫数から基準在庫数を減算した数を在庫超過数とする。すなわち、在庫超過数は、ステップＡ５で取得した在庫数からステップＡ６で取得した基準在庫数を減算した数である。ステップＡ１０では、在庫超過数と単価とを乗算した値を優先度Ｐｉとする。すなわち、優先度Ｐｉは、ステップＡ９で求めた在庫超過数とステップＡ８で読み出した粗利と乗算した値であり、商品ＩＤ「ｉ」の商品についての優先度である。
【００７４】
ステップＡ１１では、商品ｉの位置を取得する。具体的には、商品マスタ１５から商品ＩＤ「ｉ」の配置場所を読み出す。ステップＡ１２では、変数ｊに「１」を代入する。変数ｊは、情報表示装置２０を識別するための値であり、たとえば情報表示装置位置データ１８の情報表示装置ＩＤのアルファベットを数字に対応付けた値である。すなわち、アルファベット「Ａ」を「１」に対応付け、アルファベット「Ｂ」を「２」に対応付け、アルファベット「Ｃ」を「３」に対応付け、以下同様に対応付ける。
【００７５】
ステップＡ１３では、商品ｉの広告表示種類を取得する。具体的には、判定用閾値データ１６から商品ＩＤ「ｉ」の広告表示種類を読み出す。ステップＡ１４では、表示装置ｊの位置を取得する。具体的には、情報表示装置位置データ１８から変数ｊに対応するアルファベットの情報表示装置ＩＤの配置場所を読み出す。ステップＡ１５では、商品ｉの位置と表示装置ｊの位置との距離を装置間距離とする。すなわち、装置間距離は、ステップＡ１１で読み出した商品ＩＤ「ｉ」の配置場所が示す座標と、ステップＡ１３で読み出した変数ｊに対応するアルファベットの情報表示装置ＩＤの配置場所が示す座標との距離である。
【００７６】
ステップＡ１６では、Ｐｉに係数を乗算した値が装置間距離よりも大きいか否かを判定する。係数は、店舗の広さ、店舗に配置される情報表示装置２０の数、情報表示装置２０の表示画面の大きさなどの条件に基づいて、店舗の管理者などによって予め設定される係数である。ステップＡ１０で求めた優先度Ｐｉに係数を乗算した値がステップＡ１５で求めた装置間距離よりも大きいと、ステップＡ１７に進み、ステップＡ１０で求めた優先度Ｐｉに係数を乗算した値がステップＡ１５で求めた装置間距離よりも大きくないと、ステップＡ２１に進む。
【００７７】
すなわち、ステップＡ８〜Ａ１６では、優先表示データをどの情報表示装置２０に送信すべきかを判定している。
【００７８】
ステップＡ１７では、商品ｉの通常表示データを取得する。具体的には、通常表示データ１７から商品ＩＤ「ｉ」の商品ＩＤ、表示幅、表示位置、表示コンテンツおよび表示時間などの情報を読み出す。ステップＡ１８では、表示装置ｊに通常表示データを送信する。具体的には、ステップＡ１７で読み出した商品ＩＤ、表示幅、表示位置、表示コンテンツおよび表示時間などの情報を、表示データ送信部１２によって変数ｊに対応するアルファベットの情報表示装置ＩＤの情報表示装置２０に送信する。
【００７９】
ステップＡ１９では、商品ｉの優先表示データを取得する。具体的には、優先表示データ１９から商品ＩＤ「ｉ」の商品ＩＤ、広告表示種類およびパラメータなどの情報を読み出す。ステップＡ２０では、表示装置ｊに優先表示データを送信する。具体的には、ステップＡ１９で読み出した商品ＩＤ、広告表示種類およびパラメータなどの情報を、表示データ送信部１２によって変数ｊに対応するアルファベットの情報表示装置ＩＤの情報表示装置２０に送信する。
【００８０】
ステップＡ２１では、変数ｊが値「ｍ」に等しいか否かを判定する。値「ｍ」は、情報表示装置位置データ１８に登録されている情報表示装置２０の数である。変数ｊが値「ｍ」に等しいと、ステップＡ２２に進み、変数ｊが値「ｍ」に等しくないと、ステップＡ２４に進む。ステップＡ２２では、変数ｉに「１」を加算する。ステップＡ２３では、変数ｉが値「ｎ」より大きいか否かを判定する。値「ｎ」は、商品マスタ１５にデータが登録されている商品の数である。変数ｉが値「ｎ」より大きいと、第１の表示制御処理を終了し、変数ｉが値「ｎ」より大きくないと、ステップＡ２に戻る。
【００８１】
ステップＡ２４では、変数ｊに「１」を加算して、ステップＡ１４に戻る。ステップＡ２５では、商品ｉの優先表示データの削除指示をすべての情報表示装置２０に送信し、ステップＡ２２に進む。具体的には、各情報表示装置２０が記憶する情報表示装置優先表示データ２４のうち、商品ＩＤ「ｉ」の商品についての優先表示データを削除する削除指示を、表示データ送信部１２によってすべての情報表示装置２０に送信し、ステップＡ２２に進む。
【００８２】
図４に示した実施の形態では、優先表示データを送信する情報表示装置２０を選択するとき、優先表示データを表示する商品が陳列されている位置と情報表示装置２０が配置されている位置との距離によって選択したが、距離に限定されるものではなく、エリアによって情報表示装置２０を選択してもよい。具体的には、たとえば少なくとも１つの情報表示装置２０を含む複数のエリアを予め定めておいて、販売促進広告を表示することによって販売数を増加させることが期待される位置に配置されている情報表示装置２０を含むエリア、たとえば利用者の多い位置に配置されている情報表示装置２０を含むエリアに配置される情報表示装置２０を選択してもよい。
【００８３】
図５は、表示データ判断部１１および表示データ送信部１２が実行する第２の表示制御処理を示すフローチャートである。第２の表示制御処理は、図４に示した第１の表示制御処理の代わりに表示データ判断部１１によって実行される。第２の表示制御処理は、店舗サーバ１０が優先表示データを情報表示装置２０に送信する処理である。時刻発生部１３によって計時される時間が所定の時間、たとえば１０分経過するたびに、ステップＢ１に移る。ステップＢ１〜Ｂ１３，Ａ１８，Ａ１９は、表示データ判断部１１によって実行され、ステップＢ１４〜Ｂ１７は、表示データ送信部１２によって実行される。
【００８４】
ステップＢ１では、変数ｉに「１」を代入する。変数ｉは、商品を識別するための値であり、たとえば商品ＩＤを示す。ステップＢ２では、商品ｉの在庫数を取得する。具体的には、商品マスタ１５から商品ＩＤ「ｉ」の在庫数を読み出す。ステップＢ３では、商品ｉの基準在庫数を取得する。具体的には、判定用閾値データ１６から商品ＩＤ「ｉ」の基準在庫数を読み出す。ステップＢ４では、在庫数が基準在庫数よりも大きいか否かを判定する。ステップＢ２で取得した在庫数がステップＢ３で取得した基準在庫数よりも大きいと、ステップＢ５に進み、ステップＢ２で取得した在庫数がステップＢ３で取得した基準在庫数よりも大きくないと、ステップＢ１８に進む。
【００８５】
ステップＢ５では、商品ｉの単価を取得する。具体的には、商品マスタ１５から商品ＩＤ「ｉ」の粗利を読み出す。ステップＢ６では、在庫数から基準在庫数を減算した数を在庫超過数とする。すなわち、在庫超過数は、ステップＢ２で取得した在庫数からステップＢ３で取得した基準在庫数を減算した数である。ステップＢ７では、在庫超過数と単価とを乗算した値を優先度Ｐｉとする。すなわち、優先度Ｐｉは、ステップＢ６で求めた在庫超過数とステップＢ５で読み出した粗利と乗算した値であり、商品ＩＤ「ｉ」の商品についての優先度である。
【００８６】
ステップＢ８では、商品ｉの広告表示開始時間を取得する。具体的には、判定用閾値データ１６から商品ＩＤ「ｉ」の広告表示開始時間を読み出す。ステップＢ９では、現在の時間を取得する。具体的には、時刻発生部１３を参照して現在の時刻を取得し、商品マスタ１５の商品ＩＤ「ｉ」の廃棄時刻から、取得した現在の時刻を減算した時間を、現時間、つまり廃棄時刻までの現在の時間とする。
【００８７】
ステップＢ１０では、現時間から広告表示開始時間を減算した時間を広告までの時間とする。すなわち、広告までの時間は、ステップＢ９で求めた現時間からステップＢ８で取得した広告表示開始時間を減算した時間である。ステップＢ１１では、優先度Ｐｉを広告までの時間で除算した値を在庫リスクとする。すなわち、在庫リスクは、ステップＢ７で求めた優先度ＰｉをステップＢ１０で求めた広告までの時間で除算した値である。ステップＢ１２では、広告表示開始時刻から、在庫リスクを係数倍した値を減算した値を前倒し広告時刻とする。すなわち、前倒し広告時刻は、ステップＢ１１で求めた在庫リスクを係数倍した値を、広告表示開始時刻から減算した時刻である。広告表示開始時刻は、廃棄時刻から広告表示開始時間を減算した時刻である。係数は、店舗の広さ、店舗に配置される情報表示装置２０の数、情報表示装置２０の表示画面の大きさなどの条件に基づいて、店舗の管理者などによって予め設定される係数である。
【００８８】
ステップＢ１３では、現時刻が前倒し広告時刻よりも大きいか否かを判定する。具体的には、ステップＢ９で取得した現在の時刻がステップＢ１２で求めた前倒し広告時刻よりも大きいと、ステップＢ１４に進み、ステップＢ９で取得した現在の時刻がステップＢ１２で求めた前倒し広告時刻よりも大きくないと、ステップＢ１８に進む。
【００８９】
ステップＢ１４では、商品ｉの通常表示データを取得する。具体的には、通常表示データ１７から商品ＩＤ「ｉ」の商品ＩＤ、表示幅、表示位置、表示コンテンツおよび表示時間などの情報を読み出す。ステップＢ１５では、商品ｉ用の表示装置に通常表示データを送信する。具体的には、ステップＢ１５で読み出した商品ＩＤ、表示幅、表示位置、表示コンテンツおよび表示時間などの情報を、表示データ送信部１２によって商品ｉ用の情報表示装置２０、つまり商品ｉからの距離が最も近い情報表示装置２０に送信する。
【００９０】
ステップＢ１６では、商品ｉの優先表示データを取得する。具体的には、優先表示データ１９から商品ＩＤ「ｉ」の商品ＩＤ、広告表示種類およびパラメータなどの情報を読み出す。ステップＢ１７では、商品ｉ用の表示装置に優先表示データを送信する。具体的には、ステップＢ１６で読み出した商品ＩＤ、広告表示種類およびパラメータなどの情報を、表示データ送信部１２によって商品ｉ用の情報表示装置２０に送信する。
【００９１】
ステップＢ１８では、変数ｉに「１」を加算する。ステップＢ１９では、変数ｉが値「ｎ」より大きいか否かを判定する。値「ｎ」は、商品マスタ１５にデータが登録されている商品の数である。変数ｉが値「ｎ」より大きいと、第２の表示制御処理を終了し、変数ｉが値「ｎ」より大きくないと、ステップＢ２に戻る。
【００９２】
図６は、表示データ制御部２１が実行する広告表示処理を示すフローチャートである。広告表示処理は、情報表示装置２０が、優先表示データの受信および優先表示データの削除指示を店舗サーバ１０から受信する処理である。情報表示装置２０の電源が投入され動作可能になるとステップＣ１に移る。
【００９３】
ステップＣ１では、店舗サーバ１０からの通信を受信する。ステップＣ２では、優先表示データを送信する通信または優先表示データの削除指示の通信を受信したか否かを判定する。優先表示データを送信する通信または優先表示データの削除指示の通信を受信すると、ステップＣ３に進み、優先表示データを送信する通信および優先表示データの削除指示のいずれの通信も受信していないと、ステップＣ１６に進む。
【００９４】
ステップＣ３では、受信した通信が優先表示データの削除指示であるか否かを判定する。受信した通信が優先表示データの削除指示であると、ステップＣ１５に進み、受信した通信が優先表示データの削除指示でないと、ステップＣ４に進む。ステップＣ４では、受信したデータを優先表示データとして情報表示装置優先表示データ２４に保存する。ステップＣ５では、優先表示データを情報表示装置優先表示データ２４から読み取り、商品ＩＤを記憶装置の一時記憶領域に記憶する。
【００９５】
ステップＣ６では、広告表示種類がテロップであるか否かを判定する。ステップＣ５で読み取った優先表示データの広告表示種類に「テロップ表示」があると、広告表示種類がテロップであると判定し、ステップＣ７に進み、ステップＣ５で読み取った優先表示データの広告表示種類に「テロップ表示」がないと、広告表示種類がテロップでないと判定し、ステップＣ８に進む。ステップＣ７では、優先表示データのテロップを取得する。すなわち、ステップＣ５で読み取った優先表示データに含まれるパラメータのうち広告表示形態が「テロップ表示」のパラメータを、記憶装置の一時記憶領域に記憶する。
【００９６】
ステップＣ８では、広告表示種類が面積変更であるか否かを判定する。ステップＣ５で読み取った優先表示データの広告表示種類に「面積変更」があると、広告表示種類が面積変更であると判定し、ステップＣ９に進み、ステップＣ５で読み取った優先表示データの広告表示種類に「面積変更」がないと、広告表示種類が面積変更でないと判定し、ステップＣ１０に進む。ステップＣ９では、優先表示データの面積変更を取得する。すなわち、ステップＣ５で読み取った優先表示データに含まれるパラメータのうち広告表示種類が「面積変更」であるパラメータを、記憶装置の一時記憶領域に記憶する。
【００９７】
ステップＣ１０では、広告表示種類が時間変更であるか否かを判定する。ステップＣ５で読み取った優先表示データの広告表示種類に「表示時間延長」があると、広告表示種類が時間変更であると判定し、ステップＣ１１に進み、ステップＣ５で読み取った優先表示データの広告表示種類に「表示時間延長」がないと、広告表示種類が時間変更でないと判定し、ステップＣ１２に進む。ステップＣ１１では、優先表示データの時間変更を取得する。すなわち、ステップＣ５で読み取った優先表示データに含まれるパラメータのうち広告表示種類が「表示時間延長」であるパラメータを、記憶装置の一時記憶領域に記憶する。
【００９８】
ステップＣ１２では、表示データ生成処理を呼出して実行する。ステップＣ１３では、表示データ生成処理で生成された表示データ、すなわち記憶装置の後述する表示データ領域に記憶される表示データを情報表示部分２２に表示する。ステップＣ１４では、所定時間、たとえば１秒経過するのを待って、ステップＣ１に戻る。
【００９９】
ステップＣ１５では、ステップＣ３で優先表示データの削除指示によって指示された商品ＩＤの優先表示データを削除し、さらにその商品ＩＤの通常表示データを情報表示装置通常表示データ２３から読み込んで、記憶装置の一時記憶領域に記憶して、ステップＣ１２に進む。ステップＣ１６では、優先表示データがあるか否かを判定する。情報表示装置優先表示データ２４が記憶されていると、優先表示データがあると判定し、ステップＣ１３に進み、情報表示装置優先表示データ２４が記憶されていないと、優先表示データがないと判定し、ステップＣ１７に進む。
【０１００】
ステップＣ１７では、次データに切り換える時であるか否かを判定する。左画面に表示されている優先表示データあるいは通常表示データの表示時間、および右画面に表示されている優先表示データあるいは通常表示データの表示時間のうちのいずれかの表示時間が経過していると、次データに切り換える時であると判定し、ステップＣ１８に進む。左画面に表示されている優先表示データあるいは通常表示データの表示時間、および右画面に表示されている優先表示データあるいは通常表示データの表示時間のうちのいずれの表示時間も経過していないと、次データに切り換える時でないと判定し、ステップＣ１３に進む。
【０１０１】
ステップＣ１８では、次の再生順序を設定する。すなわち、左画面に表示されている優先表示データあるいは通常表示データの表示時間が経過している場合は、左画面に表示する通常表示データの順序を示す左ポインタの値を、情報表示装置通常表示データ２３の表示位置が「左」である商品ＩＤのうち、現在表示している商品ＩＤの次の商品ＩＤの再生順序の値にする。右画面に表示されている優先表示データあるいは通常表示データの表示時間が経過している場合は、右画面に表示する通常表示データの順序を示す右ポインタの値を、情報表示装置通常表示データ２３の表示位置が「右」である商品ＩＤのうち、現在表示している商品ＩＤの次の商品ＩＤの再生順序の値にする。
【０１０２】
ステップＣ１９では、次の通常表示データを読み込んで、ステップＣ１２に進む。すなわち、ステップＣ１８で更新した左ポインタまたは右ポインタが示す再生順序の通常表示データを情報表示装置通常表示データ２３から読み込んで、記憶装置の一時記憶領域に記憶し、ステップＣ１２に進む。
【０１０３】
図６に示した実施の形態では、ステップＣ１６で優先表示データがあるか否かを判定しているので、優先表示データの削除指示があるまで、表示されている優先表示データおよび通常表示データが更新されることがない。優先表示データの削除指示がなくても、優先表示データおよび通常表示データの更新を可能とする場合は、ステップＣ１６の判定処理をなくし、ステップＣ２で、優先表示データを送信する通信および優先表示データの削除指示のいずれの通信も受信していないとき、ステップＣ１７に進むようにすればよい。
【０１０４】
図７は、表示データ制御部２１が実行する表示データ生成処理を示すフローチャートである。図６に示したフローチャートのステップＣ１２で呼び出されると、ステップＤ１に移る。
【０１０５】
ステップＤ１では、次の表示データを読み込み済みであるか否かを判定する。記憶装置の一時記憶領域に通常表示データが記憶されていると、次の表示データを読み込み済みであると判定し、ステップＤ４に進み、記憶装置の一時記憶領域に通常表示データが記憶されていないと、次の表示データを読み込み済みでないと判定し、ステップＤ２に進む。
【０１０６】
ステップＤ２では、優先表示データの商品ＩＤと画面右の通常表示データの商品ＩＤとが同じであるか否かを判定する。記憶装置の一時記憶領域に商品ＩＤが記憶されており、かつその商品ＩＤと、情報表示装置通常表示データ２３の商品ＩＤのうち、右ポインタが示す再生順序の商品ＩＤとが同じ商品ＩＤである場合は、優先表示データの商品ＩＤと画面右の通常表示データの商品ＩＤとが同じであると判定し、ステップＤ７に進む。記憶装置の一時記憶領域に商品ＩＤが記憶されていない場合、または記憶装置の一時記憶領域に商品ＩＤが記憶されており、かつその商品ＩＤと、情報表示装置通常表示データ２３の商品ＩＤのうち、右ポインタが示す再生順序の商品ＩＤとが同じ商品ＩＤでない場合は、優先表示データの商品ＩＤと画面右の通常表示データの商品ＩＤとが同じでないと判定し、ステップＤ３に進む。
【０１０７】
ステップＤ３では、優先表示データの商品ＩＤと画面左の通常表示データの商品ＩＤとが同じであるか否かを判定する。記憶装置の一時記憶領域に商品ＩＤが記憶されており、かつその商品ＩＤと、情報表示装置通常表示データ２３の商品ＩＤのうち、左ポインタが示す再生順序の商品ＩＤとが同じ商品ＩＤである場合は、優先表示データの商品ＩＤと画面左の通常表示データの商品ＩＤとが同じであると判定し、ステップＤ１３に進む。記憶装置の一時記憶領域に商品ＩＤが記憶されていない場合、または記憶装置の一時記憶領域に商品ＩＤが記憶されており、かつその商品ＩＤと、情報表示装置通常表示データ２３の商品ＩＤのうち、左ポインタが示す再生順序の商品ＩＤとが同じ商品ＩＤでない場合は、優先表示データの商品ＩＤと画面左の通常表示データの商品ＩＤとが同じでないと判定し、表示データ生成処理を終了する。
【０１０８】
ステップＤ４では、次の表示データの画面位置は右であるか否かを判定する。記憶装置の一時記憶領域に記憶されている通常表示データの表示位置が「右」であると、次の表示データの画面位置は右であると判定し、ステップＤ５に進む。記憶装置の一時記憶領域に記憶されている通常表示データの表示位置が「右」でないと、次の表示データの画面位置は右でないと判定し、ステップＤ６に進む。
【０１０９】
ステップＤ５では、画面右に次の表示データの動画／静止画を表示するためのデータを準備して、ステップＤ２に進む。具体的には、記憶装置の一時記憶領域に記憶されている通常表示データ、つまり商品ＩＤ、表示幅、表示位置、表示コンテンツおよび表示時間などの情報を読み出し、読み出した商品ＩＤ、表示幅、表示位置、表示コンテンツおよび表示時間などの情報を記憶装置の表示データ領域の右画面用の領域に書き込んで、ステップＤ２に進む。ステップＤ６では、画面左に次の表示データの動画／静止画を表示するためのデータを準備して、ステップＤ２に進む。具体的には、記憶装置の一時記憶領域に記憶されている通常表示データ、つまり商品ＩＤ、表示幅、表示位置、表示コンテンツおよび表示時間などの情報を読み出し、読み出した商品ＩＤ、表示幅、表示位置、表示コンテンツおよび表示時間などの情報を記憶装置の表示データ領域の左画面用の領域に書き込んで、ステップＤ２に進む。
【０１１０】
ステップＤ７では、時間変更があるか否かを判定する。記憶装置の一時記憶領域に広告表示形態が「表示時間延長」のパラメータが記憶されていると、時間変更があると判定し、ステップＤ１０に進む。記憶装置の一時記憶領域に広告表示形態が「表示時間延長」のパラメータが記憶されていないと、時間変更がないと判定し、ステップＤ８に進む。ステップＤ８では、面積変更があるか否かを判定する。記憶装置の一時記憶領域に広告表示形態が「面積変更」のパラメータが記憶されていると、面積変更があると判定し、ステップＤ１１に進む。記憶装置の一時記憶領域に広告表示形態が「面積変更」のパラメータが記憶されていないと、面積変更がないと判定し、ステップＤ９に進む。
【０１１１】
ステップＤ９では、テロップデータがあるか否かを判定する。記憶装置の一時記憶領域に広告表示形態が「テロップ表示」のパラメータが記憶されていると、テロップデータがあると判定し、ステップＤ１２に進む。記憶装置の一時記憶領域に広告表示形態が「テロップ表示」のパラメータが記憶されていないと、テロップデータがないと判定し、ステップＤ３に進む。ステップＤ１０では、タイムチャートの時間を延長して、ステップＤ８に進む。具体的には、記憶装置の表示データ領域の右画面用の領域に記憶される表示時間に、記憶装置の一時記憶領域に記憶される広告表示形態が「表示時間延長」のパラメータで示される時間を加算して、ステップＤ８に進む。
【０１１２】
ステップＤ１１では、画面右の面積を変更し、それに応じて画面左の面積を変更する。具体的には、記憶装置の表示データ領域の右画面用の領域に記憶される表示幅に、記憶装置の一時記憶領域に記憶される広告表示形態が「面積変更」のパラメータで示される割合を加算して、かつ記憶装置の表示データ領域の左画面用の領域に記憶される表示幅から、記憶装置の一時記憶領域に記憶される広告表示形態が「面積変更」のパラメータで示される割合を減算して、ステップＤ９に進む。ステップＤ１２では、画面下にテロップを表示するための準備をして、ステップＤ３に進む。具体的には、記憶装置の表示データ領域の右画面用の領域に、記憶装置の一時記憶領域に記憶される広告表示形態が「テロップ表示」のパラメータを書き込んで、ステップＤ３に進む。
【０１１３】
ステップＤ１３では、時間変更があるか否かを判定する。記憶装置の一時記憶領域に広告表示形態が「表示時間延長」のパラメータが記憶されていると、時間変更があると判定し、ステップＤ１６に進む。記憶装置の一時記憶領域に広告表示形態が「表示時間延長」のパラメータが記憶されていないと、時間変更がないと判定し、ステップＤ１４に進む。ステップＤ１４では、面積変更があるか否かを判定する。記憶装置の一時記憶領域に広告表示形態が「面積変更」のパラメータが記憶されていると、面積変更があると判定し、ステップＤ１７に進む。記憶装置の一時記憶領域に広告表示形態が「面積変更」のパラメータが記憶されていないと、面積変更がないと判定し、ステップＤ１５に進む。
【０１１４】
ステップＤ１５では、テロップデータがあるか否かを判定する。記憶装置の一時記憶領域に広告表示形態が「テロップ表示」のパラメータが記憶されていると、テロップデータがあると判定し、ステップＤ２０に進む。記憶装置の一時記憶領域に広告表示形態が「テロップ表示」のパラメータが記憶されていないと、テロップデータがないと判定し、表示データ生成処理を終了する。ステップＤ１６では、タイムチャートの時間を延長して、ステップＤ１４に進む。具体的には、記憶装置の表示データ領域の左画面用の領域に記憶される表示時間に、記憶装置の一時記憶領域に記憶される広告表示形態が「表示時間延長」のパラメータで示される時間を加算して、ステップＤ１４に進む。
【０１１５】
ステップＤ１７では、画面右は面積変更済みであるか否かを判定する。右ポインタが示す再生順序の通常表示データの商品ＩＤと同じ商品ＩＤの優先表示データが記憶装置の一時記憶領域に記憶されており、その優先表示データの広告表示形態に「画面変更」が記憶されていると、画面右は面積変更済みであると判定し、ステップＤ１８に進む。右ポインタが示す再生順序の通常表示データの商品ＩＤと同じ商品ＩＤの優先表示データが記憶装置の一時記憶領域に記憶されていないか、または右ポインタが示す再生順序の通常表示データの商品ＩＤと同じ商品ＩＤの優先表示データが記憶装置の一時記憶領域に記憶されていても、その優先表示データの広告表示形態に「画面変更」が記憶されていないと、画面右は面積変更済みでないと判定し、ステップＤ１９に進む。
【０１１６】
ステップＤ１８では、画面右左の大きさを元の大きさに戻す。具体的には、記憶装置の表示データ領域の右画面用の領域に記憶される表示幅を、右ポインタが示す再生順序の通常表示データの表示幅に書き換えるとともに、記憶装置の表示データ領域の左画面用の領域に記憶される表示幅を、左ポインタが示す再生順序の通常表示データの表示幅に書き換えて、ステップＤ１５に進む。
【０１１７】
ステップＤ１９では、画面左の面積を変更し、それに応じて画面右の面積を変更する。具体的には、記憶装置の表示データ領域の左画面用の領域に記憶される表示幅に、記憶装置の一時記憶領域に記憶される広告表示形態が「面積変更」のパラメータで示される割合を加算して、かつ記憶装置の表示データ領域の右画面用の領域に記憶される表示幅から、記憶装置の一時記憶領域に記憶される広告表示形態が「面積変更」のパラメータで示される割合を減算して、ステップＤ１５に進む。
【０１１８】
ステップＤ２０では、画面下にテロップを表示するための準備をして、表示データ生成処理を終了する。具体的には、記憶装置の表示データ領域の左画面用の領域に、記憶装置の一時記憶領域に記憶される広告表示形態が「表示時間延長」のパラメータを書き込んで、表示データ生成処理を終了する。表示データ生成処理を終了するときは、記憶装置の一時記憶領域に記憶される通常表示データを消去してから終了する。
【０１１９】
上述した実施の形態では、表示データ制御部２１、情報表示装置通常表示データ２３および情報表示装置優先表示データ２４を情報表示装置２０に設けたが、表示データ制御部２１、情報表示装置通常表示データ２３および情報表示装置優先表示データ２４を店舗サーバ１０に設け、情報表示部分２２のみを独立した表示装置としてもよい。情報表示部分２２のみを独立した表示装置とすることによって、従来の技術による表示装置を用いることができる。この場合、表示データ制御部２１、情報表示装置通常表示データ２３および情報表示装置優先表示データ２４を含む店舗サーバ１０が、本発明に係る表示制御装置となる。
【０１２０】
このように、情報表示部分２２によって、商品の販売を促進するための販売促進広告を表す販売促進広告情報が表示され、商品マスタ１５および判定用閾値データ１６によって、商品の在庫数を表す在庫数情報、および前記販売促進広告情報を表示するか否かを決める基準となる予め定める基準在庫数を表す基準在庫数情報が記憶され、表示データ判断部１１によって、前記販売促進広告情報を情報表示部分２２に表示すべきか否かを判定するための予め定める判定時刻に、商品マスタ１５に記憶される在庫数情報が示す在庫数と判定用閾値データ１６に記憶される基準在庫数情報が示す基準在庫数とが比較される。
【０１２１】
そして、表示データ制御部２１によって、前記比較結果に応じて、前記販売促進広告情報を情報表示部分２２に表示させる表示形態が決定され、表示データ判断部１１、表示データ送信部１２および表示データ制御部２１によって、表示データ制御部２１によって決定された表示形態によって前記販売促進広告情報が情報表示部分２２に表示される。
【０１２２】
したがって、在庫数、たとえばＰＯＳシステムから提供される在庫数に基づいて、商品、たとえば食品の値引きなどの販売制限を開始する前に、より適切な表示形態で、商品の販売を促進するための広告を表示することができる。すなわち、値引きあるいは廃棄処分前に、値引きあるいは廃棄処分の対象となり得る商品をより適切な表示形態で重点的に広告表示することによって、値引きあるいは廃棄処分の対象となり得る商品を、利益率の高い段階で販売することが可能となる。ＰＯＳシステムと連動することによって、売上推移を考慮して、商品の販売を促進するための広告を表示する表示形態を決定することができ、人的な判断による場合よりも、より細かくかつ適切な表示形態での広告が可能となり、販売利益を向上することができる。
【０１２３】
さらに、表示データ制御部２１によって、前記販売促進広告情報を表示する表示形態が、テロップ表示による表示形態に決定される。したがって、在庫数が多い商品についてのみテロップ表示が行われるので、利用者の注意をその商品に惹き付ける確率を高くすることができる。
【０１２４】
さらに、表示データ制御部２１によって、前記販売促進広告情報を表示する表示形態が、前記広告情報を表示する基の領域よりも広い領域で表示する表示形態に決定される。したがって、表示部の表示領域のうち、在庫数が多い商品についての表示領域が拡大されるので、利用者の注意をその商品に惹き付ける確率を高くすることができる。
【０１２５】
さらに、表示データ制御部２１によって、前記販売促進広告情報を表示する表示形態が、前記広告情報を表示する基の時間よりも長い時間表示する表示形態に決定される。したがって、在庫数が多い商品についての表示時間が延長されるので、利用者の注意をその商品に惹き付ける確率を高くするができる。
【０１２６】
さらに、情報表示部分２２は、店舗内に分散して配置される複数の情報表示部分２２からなり、表示データ判断部１１、表示データ送信部１２および表示データ制御部２１によって、表示データ制御部２１によって決定された表示形態によって前記販売促進広告情報を表示させるとき、店舗内で前記販売促進広告情報を表示すべき商品が配置されている位置から、商品マスタ１５に記憶される在庫数情報が示す在庫数から判定用閾値データ１６に記憶される基準在庫数情報が示す基準在庫数を減算した超過在庫数に基づいて定められる距離の範囲内に配置されている情報表示部分２２に、前記販売促進広告情報が表示される。したがって、在庫数が多い商品について、販売を促進するための広告を表示する表示部の数が増加するので、利用者の注意をその商品に惹き付ける確率を高くすることができる。
【０１２７】
さらに、商品マスタ１５および判定用閾値データ１６によって、商品の在庫数を表す在庫数情報、および前記販売促進広告情報を表示するか否かを決める基準となる予め定める基準在庫数を表す基準在庫数情報が記憶され、表示データ判断部１１によって、商品の販売を促進するための販売促進広告を表す販売促進広告情報を、情報を表示する情報表示部分２２に表示すべきか否かを判定するための予め定める判定時刻に、商品マスタ１５に記憶される在庫数情報が示す在庫数と判定用閾値データ１６に記憶される基準在庫数情報が示す基準在庫数とが比較される。
【０１２８】
そして、表示データ制御部２１によって、前記比較結果に応じて、前記販売促進広告情報を情報表示部分２２に表示させる表示形態が決定され、表示データ判断部１１、表示データ送信部１２および表示データ制御部２１によって、表示データ制御部２１によって決定された表示形態によって前記販売促進広告情報が情報表示部分２２に表示される。
【０１２９】
したがって、情報を表示することができる表示装置、たとえば液晶ディスプレイを用いて、食品の値引きなどの販売制限を開始する前により適切な表示形態で販売を促進するための広告を表示することができる。
【図面の簡単な説明】
【０１３０】
【図１】本発明の実施の一形態である表示システム１の構成を示すブロック図である。
【図２】表示システム１に含まれる店舗サーバ１０および情報表示装置２０の構成を模式的に示すブロック図である。
【図３】表示形態の例を示す図である。
【図４】表示データ判断部１１および表示データ送信部１２が実行する第１の表示制御処理を示すフローチャートである。
【図５】表示データ判断部１１および表示データ送信部１２が実行する第２の表示制御処理を示すフローチャートである。
【図６】表示データ制御部２１が実行する広告表示処理を示すフローチャートである。
【図７】表示データ制御部２１が実行する表示データ生成処理を示すフローチャートである。
【図８】従来の技術による広告表示装置９の構成を示すブロック図である。
【符号の説明】
【０１３１】
１  表示システム
１０  店舗サーバ
１１  表示データ判断部
１２  表示データ送信部
１３  時刻発生部
１４  売上データ
１５  商品マスタ
１６  判定用閾値データ
１７  通常表示データ
１８  情報表示装置移置データ
１９  優先表示データ
２０  情報表示装置
２１  表示データ制御部
２２  情報表示部分
２３  情報表示装置通常表示データ
２４  情報表示装置優先表示データ
３０  ＰＯＳ端末
３１  ハブ
３２  アクセスポイント
【図１】
2010097440.tif 000011
【図２】
2010097440.tif 000012
【図３】
2010097440.tif 000013
【図４】
2010097440.tif 000014
【図５】
2010097440.tif 000015
【図６】
2010097440.tif 000016
【図７】
2010097440.tif 000017
【図８】
2010097440.tif 000018